(57)【特許請求の範囲】
【請求項１】
遠隔蛍光体式ＬＥＤ装置に使用するためのレンズ組立体であって、
外部表面及び内部表面を有するレンズ部材であり、前記外部表面は、前記内部表面と交差する光軸を規定するように湾曲している、レンズ部材と、
前記外部表面の少なくとも一部に取り付けられ、前記内部表面に隣接した基準面内の所与の光源点から発したＬＥＤ光を前記基準面内の所与の像点へと反射するように構成される二色性反射体と、
前記内部表面の少なくとも一部に取り付けられ、蛍光を放射するように適合されている蛍光体層と、
を含み、
前記二色性反射体は、前記蛍光及び前記所与の光源点から発して前記二色性反射体に入射するＬＥＤ光の一部を透過させるように適合され、
（ａ）前記蛍光体層は、前記内部表面の１つ以上の第１部分を被覆し前記内部表面の１つ以上の第２部分を露出させるようにパターン化され、光が前記光源点から前記二色性反射体へ前記蛍光体層を通過せず伝播するように、前記所与の像点は、前記１つ以上の第１部分に隣接して配設され、前記所与の光源点は、前記１つ以上の第２部分に隣接して配設される、
レンズ組立体。
【請求項２】
遠隔蛍光体式ＬＥＤ装置の作製方法であって、
外部表面及び内部表面を有するレンズ部材を用意する工程であり、前記外部表面は、前記内部表面と交差する光軸を規定するように湾曲している、工程と、
前記外部表面の少なくとも一部に二色性反射体を取り付ける工程であり、前記二色性反射体は、前記内部表面に隣接した基準面内の所与の光源点から発したＬＥＤ光を前記基準面内の所与の像点へと反射するように構成され、前記二色性反射体は、前記所与の光源点から発して前記二色性反射体に入射するＬＥＤ光の一部を透過させる、工程と、
前記内部表面の少なくとも一部に蛍光体層を取外し可能に付着させる工程であり、前記蛍光体層は、前記内部表面の１つ以上の第１部分を被覆する１つ以上の第１部分、及び前記内部表面の１つ以上の第２部分を被覆する１つ以上の第２部分を含み、前記所与の像点は、前記内部表面の前記１つ以上の第１部分に隣接して配設され、前記所与の光源点は、前記内部表面の前記１つ以上の第２部分に隣接して配設される、工程と、
光が前記光源点から前記二色性反射体へ前記蛍光体層を通過せず伝播するように、前記内部表面の前記１つ以上の第２部分を露出させるように前記蛍光体層をパターン化する工程と、
を含む、方法。
【発明の詳細な説明】
【技術分野】
【０００１】
本発明は概して、光源に関し、具体的には発光ダイオード（ＬＥＤ）及び蛍光体を組み込む固体光源への応用に関する。本発明はまた、関連物品、システム、及び方法に関する。
【背景技術】
【０００２】
広帯域光を放射する固体光源は既知である。場合によっては、そのような光源は、黄色放射蛍光体層を青色ＬＥＤに適用することによって製造される。青色ＬＥＤからの光が蛍光体層を通過するとき、青色光は、吸収され、吸収エネルギーの相当部分は、典型的に黄色光の可視スペクトルのより長い波長のストークスシフト光として蛍光体によって再放射される。蛍光体の厚さは、青色ＬＥＤ光の一部が蛍光体層全体を通過することができるように十分に小さく、白色外観を有する広帯域出力光をもたらすために蛍光体からの黄色光と組み合わせる。
【０００３】
他のＬＥＤ励振された蛍光体光源もまた提示されてきた。米国特許第７，０９１，６５３号（Ｏｕｄｅｒｋｉｒｋ、他）では、ＬＥＤからの光がロングパス反射体によって蛍光体層へと反射される光源について議論されている。蛍光体層は、光がロングパス反射体によって実質的に透過される、可視（好ましくは白色）光を放射する。ＬＥＤ、蛍光体層、及びロングパスフィルタは、光がＬＥＤからロングパス反射体に移動するとき、その光が蛍光体層を通過しないような方式で配列される。
【発明の概要】
【課題を解決するための手段】
【０００４】
本発明者らは、遠隔蛍光体照明システムに使用するための新規な一群のレンズ組立体、並びにそれらの作製及び使用方法を開発した。レンズ組立体は典型的には、レンズ部材と、レンズ部材の外部表面に取り付けられた二色性反射体と、レンズ部材の内部表面に取り付けられた蛍光体層と、を含む。二色性反射体は、内部表面に隣接した基準面内の所与の光源点から発したＬＥＤ光を基準面内の所与の像点へと反射する。蛍光体層は、内部表面の１つ以上の第１部分を被覆し、１つ以上の第２部分を露出させるようにパターン化されてよく、及び／又は蛍光体層は内部表面に取外し可能に付着されてよい。レンズ組立体は、遠隔蛍光体照明システムを提供するために、１つ以上の短波長（例えば青色）ＬＥＤ及びその他の構成要素と容易に組み合わせることができる。
【０００５】
レンズ組立体は、遠隔蛍光体照明システムを効率的で簡便な方法で作製するために用いることもできる。１つのアプローチは、蛍光体層をレンズ部材の内部表面に取外し可能に付着し、その後、内部表面の部分（単数又は複数）を露出させ、一方、内部表面の他の部分（単数又は複数）は、蛍光体層の残りの部分によって被覆されたまま残るように、蛍光体層をパターン化することを含む。蛍光体層は、場合によっては、蛍光体層の部分（単数又は複数）に刻み目を付け、その後、例えば剥離によって、蛍光体層の残りの部分からそれを分離することによって、パターン化されてよい。
【０００６】
本発明者らは本明細書において、とりわけ、遠隔蛍光式ＬＥＤ装置に使用するためのレンズ組立体であって、このレンズ組立体はレンズ部材と、二色性反射体と、蛍光体層とを含む、レンズ組立体を記載する。レンズ部材は、外部表面及び内部表面を有してよく、外部表面は、内部表面と交差する光軸を規定するように湾曲している。二色性反射体は、レンズ部材の外部表面の少なくとも一部に取り付けられてよく、内部表面に隣接した基準面内の所与の光源点から発したＬＥＤ光を基準面内の所与の像点へと反射するように構成されてよい。蛍光体層は、蛍光を放射するように適合され、内部表面の少なくとも一部に取り付けられてよい。二色性反射体は、蛍光を透過させるように適合されている。蛍光体層は、内部表面の１つ以上の第１部分を被覆し内部表面の１つ以上の第２部分を露出させるようにパターン化されてよく、所与の像点は１つ以上の第１部分に隣接して配設され、所与の光源点は、１つ以上の第２部分に隣接して配設される。代替的に又はそれに加えて、蛍光体層は、レンズ部材の内部表面に取外し可能に付着されてよい。
【０００７】
レンズ部材の外部表面は連続的に湾曲していてよく、場合によっては、外部表面は実質的に半球形であってよい。外部表面は分割されてもよい。例えば、外部表面はフレネルレンズ面を含んでよい。外部表面は、この外部表面を別個の部分に区分化する複数の弓状構造を含んでもよい。二色性反射体は、レンズ部材の外部表面の実質的に全てを被覆するように作製されてもよく、あるいは、レンズ部材の外部表面の面積の少なくとも５０％、７０％、又は８０％を被覆してもよい。
【０００８】
内部表面は場合によっては平坦であってよい。所与の光源及び像点は、基準点によって二分割される線分を規定してよく、基準点は光軸の、基準面との交点に配設される。レンズ部材は横断寸法Ｄを有してよく、基準面と内部表面との間の最小離隔距離はＤ／１０未満であってよく、ゼロであってもよい。基準面は、光軸と内部表面との交点を含み得る。
【０００９】
蛍光体層は内部表面に取外し可能に付着されてよく、それは、所与の像点及び所与の光源点の双方において内部表面を被覆してよい。二色性反射体は、所与の光源点から発した反射ＬＥＤ光を所与の像点に集中させる効果があり得る。
【００１０】
組立体は、蛍光体層と内部表面との間に配設される接着剤層を含んでもよく、この接着剤層は、蛍光体層の一部が内部表面から分離されるのを可能とするのに十分低い付着強度を有してよい。レンズ部材の内部表面に１つ以上のスペーサ要素が取り付けられてもよい。１つ以上のスペーサ要素は、蛍光体層を取り囲むリング構造を含んでよい。
【００１１】
蛍光体層によって発生される光は広帯域可視光を含んでよい。例えば、広帯域可視光は黄色光を含んでよく、又は広帯域可視光は白色光を含んでよい。
【００１２】
本発明者らは遠隔蛍光式ＬＥＤ装置の作製方法も開示する。これらの方法は、外部表面及び内部表面を有するレンズ部材を用意する工程であって、外部表面は、内部表面と交差する光軸を規定するように湾曲している、工程を含んでよい。本方法は、外部表面の少なくとも一部に二色性反射体を取り付ける工程であって、二色性反射体は、内部表面に隣接した基準面内の所与の光源点から発したＬＥＤ光を基準面内の所与の像点へと反射するように構成される、工程も含んでよい。本方法は、内部表面の少なくとも一部に蛍光体層を取外し可能に付着する工程であって、蛍光体層は、内部表面の１つ以上の第１部分を被覆する１つ以上の第１部分、及び内部表面の１つ以上の第２部分を被覆する１つ以上の第２部分を含み、所与の像点は、内部表面の１つ以上の第１部分に隣接して配設され、所与の光源点は、内部表面の１つ以上の第２部分に隣接して配設される、工程も含んでよい。本方法は、内部表面の１つ以上の第２部分を露出させるように蛍光体層をパターン化する工程も更に含んでよい。
【００１３】
場合によっては、パターン化する工程は、蛍光体層の１つ以上の第１部分と１つ以上の第２部分との間において蛍光体層に刻み目を付けること、及びレンズ部材の内部表面から蛍光体層の１つ以上の第２部分を分離することを含んでよい。分離することは、内部表面から蛍光体層の１つ以上の第２部分を剥離することを含んでよい。刻み目を付けることは、蛍光体層に打ち抜き機を押し付けることを含んでよい。
【００１４】
場合によっては、パターン化する工程は、蛍光体層の１つ以上の第２部分における内部表面に対する蛍光体層の付着強度と比べて、蛍光体層の１つ以上の第１部分における内部表面に対する蛍光体層の付着強度を高めることを含む。場合によっては、本方法は、蛍光体層に接続される１つ以上のつまみを設けることも含み、パターン化する工程は、１つ以上のつまみを用いて蛍光体層の１つ以上の第２部分を剥離することを含む。
【００１５】
関連する方法、システム、及び物品も述べられる。
【００１６】
本願のこれらの態様及び他の態様は、以下の詳細な説明から明らかとなろう。しかしながら、上記の概要は、いかなる場合においても特許請求される主題に対する限定として解釈されるべきではなく、手続において補正されうる添付の特許請求の範囲によってのみ定義されるものである。
【図面の簡単な説明】
【００１７】
【図１】レンズ組立体を含む遠隔蛍光体広帯域光源の概略透視図。
【図２】レンズ組立体を含む広帯域光源の概略側面又は断面図。
【図３】例示的な青色ＬＥＤ及び例示的な蛍光体のスペクトル強度分布の理想化されたグラフ。
【図４】レンズ組立体の概略側面又は断面図。
【図５】レンズ組立体の一部の概略側面又は断面図。
【図６】レンズ組立体を有する広帯域光源の一部の概略平面図。
【図７】レンズ組立体を含む例示的な広帯域光源の概略透視分解図。
【図８】分割された外部表面をそれぞれ有するレンズ組立体の概略透視図。
【図９】分割された外部表面をそれぞれ有するレンズ組立体の概略透視図。
【図１０】分割された外部表面をそれぞれ有するレンズ組立体の概略透視図。
【図１１】打ち抜きツールと組み合わせたレンズ組立体の概略側面又は断面図。
【図１２】パターン化された蛍光体層を有するレンズ組立体の透視図。
【図１３】リフトオフ用リングを含むレンズ組立体の透視図。
【図１４】つまみの付いたリフトオフ用膜を有するレンズ組立体の透視図。
【００１８】
図中、同様の参照番号は同様の構成要素を示す。
【発明を実施するための形態】
【００１９】
上述のように、本願はとりわけ、広帯域固体光源に使用するためのレンズ組立体について記載するものであり、その光源は、ＬＥＤなどの１つ以上の固体発光装置からの光によってポンピング又は励起される蛍光体層又は材料を利用するものである。光源はまた、ＬＥＤからの光の少なくとも一部を蛍光体層上に反射する二色性反射体を含む。光がＬＥＤから二色性反射体に伝播するとき、それは蛍光体層を通過しない。しかしながら、二色性反射体によって反射されたＬＥＤ光は次いで蛍光体層に衝突し、それによって蛍光体層はより長波長の蛍光を放射するようになる。蛍光は二色性反射体を通過して、光源の広帯域光出力を供給するかあるいはその広帯域光出力に寄与する。典型的には青色であるか又は同様の短波長のものであるＬＥＤ光の一部も、反射されずに二色性反射体を通過してもよく、それにより、光源の広帯域光出力に寄与する。
【００２０】
この点において、「発光ダイオード」又は「ＬＥＤ」は、最も実用的な実施形態では、放射光線が約４３０〜５３０ｎｍ、約４４０〜５００ｎｍ、又は約４４５〜４８０ｎｍの範囲内のピーク波長を有するが、可視光線、紫外線、赤外線にかかわらず、光を放射するダイオードを指す。ＬＥＤという用語は、通常のものかあるいは過放射性の変形形態かに関わらず、「ＬＥＤ」として市販されている非干渉性のケース入り又はカプセル化半導体装置を包含するだけでなく、限定するものではないが垂直共振器面発光レーザ（ＶＣＳＥＬ）を含めて、レーザダイオードなどの干渉性の半導体装置をも包含する。「ＬＥＤダイ」は、最も基本的な形態、即ち、半導体加工手順によって製造される個々の構成要素又はチップの形態のＬＥＤである。例えば、ＬＥＤダイは、１つ以上のＩＩＩ族元素の組み合わせ及び１つ以上のＶ族元素の組み合わせから形成され得る（ＩＩＩ〜Ｖ族半導体）。好適なＩＩＩ〜Ｖ族半導体材料の例には、窒化ガリウムなどの窒化物、及びリン化インジウムガリウムなどのリン化物が挙げられる。他のタイプのＩＩＩ〜Ｖ族材料も使用可能であり、同様に周期表の他の族の無機物質も使用可能である。構成要素又はチップは、デバイスに電圧を加えるための電力の適用に好適な電気接点を含むことができる。例としては、ワイヤボンディング、テープ自動化ボンディング（ＴＡＢ）、又はフリップチップボンディングが挙げられる。構成要素又はチップの個々の層及びその他の機能的要素は、通常、ウェハスケールで形成された後、仕上がったウェハは個々の小片部に切られて、多数のＬＥＤダイとなることができる。ＬＥＤダイは、表面実装、チップオンボード、又は他の既知の実装形態を構成するように構成されてもよい。いくつかのパッケージ型ＬＥＤは、ＬＥＤダイの上のポリマーカプセル材料及びそれに関連付けられる反射体カップを形成することによって製造される。ＬＥＤは、いくつかの基板のうちの１つの上に成長させられ得る。例えば、ＧａＮ  ＬＥＤは、エピタキシーによってサファイア、シリコン、及び窒化ガリウム上に成長させられ得る。本出願の目的の「ＬＥＤ」はまた、一般的にＯＬＥＤと呼ばれる、有機発光ダイオードを含むことを考慮される必要がある。
【００２１】
図１に、レンズ組立体１１２を含む遠隔蛍光体広帯域光源１１０の概略透視図を見る。基準の目的のために、光源１１０はｘｙｚ直交座標系に関して示されている。組立体１１２は、基板１１６によって保持された２つのＬＥＤ  １１４ａ、１１４ｂの上方に位置付けられる。ＬＥＤは、比較的短い波長の光、例えば、主に青色光及び／又は紫外光、を典型的に放射する。ただし、場合によっては、青緑色又は緑色光も使用され得る。ＬＥＤはそれらの外部表面からこのような光を全方向に放射してよく、この光の多くはレンズ組立体１１２へと（図１の視点から見て）上方に伝播する。
【００２２】
レンズ組立体１１２は、レンズ部材１２０と、二色性反射体（図１では標識せず）と、蛍光体層１２４とを含む。レンズ部材は外部表面及び内部表面を含み、外部表面は、点１２１ａにおいて外部表面と交差し、点１２１ｂにおいて内部表面と交差する光軸１２１を規定するように湾曲している。二色性反射体は、レンズ部材１２０の外部表面の少なくとも一部に取り付けられてよく、例えば、それは、レンズ部材の外部表面の面積の少なくとも５０％、７０％、又は８０％を被覆してよく、場合によっては、二色性反射体は、実質的に外部表面全体に付着し、それを被覆してよい。更に、二色性反射体は、内部表面に隣接した基準面内の所与の光源点から発したＬＥＤ光を基準面内の所与の像点へと反射するように、好ましくは成形され、さもなければそのように構成される。この構成は以下において図４に関して更に説明される。図１の実施形態及び本明細書に示されているその他の実施形態では、二色性反射体は好ましくはレンズ部材の外部表面に一致し、そのため、二色性反射体の形状（例えば曲率）はレンズ部材の外部表面の形状と実質的に同じである。
【００２３】
蛍光体層１２４はレンズ部材の内部表面の一部に取り付けられ、ＬＥＤ光による照射及びその吸収に応答して蛍光を放射するように適合されている。更に、蛍光体層は、内部表面の第１部分を被覆し内部表面の第２部分を露出させるようにパターン化又は成形されている。ＬＥＤ  １１４ａ、１１４ｂは内部表面の第２（露出）部分の近傍に配設され、そのため、ＬＥＤからの光は、蛍光体層を通過せず、ＬＥＤからレンズ部材１２０を通って二色性反射体へ伝播する。二色性反射体によって反射されたＬＥＤ光は蛍光体層上におおむね結像され（例えば集束又は集中され）、それに、蛍光を放射させる（すなわち、蛍光発光させる）。（換言すると、所与の像点は、内部表面の第１（被覆）部分に隣接して配設されると言ってよく、所与の光源点は、内部表面の第２（露出）部分に隣接して配設されると言ってよい。）蛍光体層内の蛍光体材料の適当な選択により、蛍光は、好ましくは人間の目に対して黄色又は白色の外観を有する、広帯域となるように調整することができる。蛍光体層１２４によって放射された蛍光はレンズ部材１２０を通過し、外部表面において二色性反射体に衝突する。すると、蛍光に対する二色性反射体の高い透過率により、それは実質的に透過される。
【００２４】
二色性反射体によって透過された蛍光は、二色性反射体によって透過され得るあらゆるＬＥＤ光と結合し、光源１１０の広帯域出力光を作り出す。
【００２５】
図２は、図１の光源１１０と同じであるか又は類似していてよい広帯域光源２１０を示すが、図２の概略側面又は断面図の方が、レンズ組立体の構成部品が互いにどのように関連しているのか、及びレンズ組立体がＬＥＤ（単数又は複数）とどのように関連しているのかを読者はもっと容易に理解することができる。この場合も先と同様に、基準のために、光源２１０はｘｙｚ直交座標系に関して示されている。光源２１０は、基板２１６によって保持されるＬＥＤ  ２１４の上方に位置付けられるレンズ組立体２１２を含む。レンズ組立体２１２は、外部表面２２０ａ及び内部表面２２０ｂを有するレンズ部材２２０と、外部表面２２０ａに取り付けられた二色性反射体２２２と、内部表面２２０ｂの一部に取り付けられた蛍光体層２２４と、を含む。外部表面２２０ａは、点２２１ａにおいて外部表面２２０ａと交差し、点２２１ｂにおいて内部表面２２０ｂと交差し、点２２１ｃにおいて、（内部表面に隣接した）基準面２１９と交差する光軸２２１又は対称軸を規定するように湾曲している。レンズ部材２２０は、ＬＥＤにごく接近した安定位置にレンズを維持するために、別個の構造体、又は連続したリングの一部であり得るスペーサ構造２２３ａ、２２３ｂも含む。ＬＥＤが、その上面に取り付けられたリード線等の電気接点を有する場合には、レンズが電気接点を損傷するのを阻止するために、ＬＥＤとレンズ２２０との間に小さな間隙が必要となる場合がある。
【００２６】
ＬＥＤ  ２１４はその外部表面から光を全方向に放射し、この光の多くはレンズ組立体２１２へと（図２の視点から見て）上方に伝播する。ＬＥＤ  ２１４から発出する２本の代表的ＬＥＤ光線２３１ａが示されている。これらの光線はレンズ部材２２０にその内部表面２２０ｂを通って侵入し、レンズ部材を通って伝播し、外部表面２２０ａにおいて二色性反射体２２２に衝突する。単純化のために、内部表面２２０ｂにおける光線２３１ａの屈折は示されていない。これはＬＥＤとレンズ部材との間の空間内に屈折率整合ゲル又はその他の材料が設けられている場合であり得る。さもなければ、その空間内に空隙が存在する場合には、表面２２０ｂにおいて光線２３１ａの屈折が生じることがある。光線２３１ａが二色性反射体２２２に衝突すると、光線は実質的に反射され、場合によっては完全反射さえされ、反射光線２３１ｂを作りだすことがある。しかし、二色性反射体２２２は典型的には、入射ＬＥＤ光の少なくともわずかな部分を透過させる。すると、光線２３１ｃとして示されるＬＥＤ光のその部分は、レンズ部材の外部へと屈折され、光源２１０の全出力に寄与する。その一方で、反射されたＬＥＤ光線２３１ｂは、二色性反射体２２２の（及び外部表面２２０ａの）形状により、蛍光体層２２４によって被覆された内部表面２２０ｂの領域の方へ向けられる。蛍光体層によって吸収されたＬＥＤ光はその内部の蛍光体材料（単数又は複数）を励起し、蛍光２３２ａを生成する。蛍光は全方向に放射され、その多くは二色性反射体２２２によって透過蛍光２３２ｂとして透過される。透過蛍光２３２ｂは、あらゆる透過ＬＥＤ光２３１ｃと組み合わさり、光源２１０の広帯域光出力を提供する。
【００２７】
次に、本発明者らは、光源２１０の構成要素の望ましい又は任意追加的な特性及び特徴をいくつか説明する。このような特性及び特徴は、本明細書に記載されている他の実施形態のいずれにも適宜、同様に関連し得ることに留意しつつ説明する。本発明者らは、レンズ組立体２１２のいくつかの重要な構成要素、すなわちレンズ部材２２０、二色性反射体２２２、及び蛍光体層２２４の説明から始める。
【００２８】
レンズ部材２２０は好ましくは、ＬＥＤ光及び蛍光に対して高い光透過率を有する安定した、頑強な材料から構成される。透明な外観を有するか、又はさもなければＬＥＤ光及び蛍光に対して高い光透過率を有するポリマー材料（プラスチック）及びガラス材料が特に好適である。場合によっては、外部及び内部表面２２０ａ、２２０ｂの形状が正確かつ安価に作製されるように、成形可能材料（単数又は複数）を使用し、成形プロセスを用いてレンズ部材を作製する方が有利である。このような場合には、液体前駆体材料を、適切に成形された金型内に注入又は別様に導入し、次に、冷却、又はその他の既知の手段によって凝固し、レンズ部材を作り出してよい。レンズ部材製造用のいくつかの例示的な材料としては、例えば、Ｚｅｏｎ  Ｃｈｅｍｉｃａｌｓ  Ｌ．Ｐ．によって市販されている、アクリル樹脂類及びＺｅｏｎｅｘ（商標）シクロオレフィンポリマー類を含む、成形可能ガラス、ポリメタクリル酸メチル、ポリカーボネート、シリコーン、並びにポリオレフィン類が挙げられる。
【００２９】
二色性反射体２２２は好ましくは、レンズ部材２２０の外部表面２２０ａに一致する。それ故、二色性反射体２２２及び表面２２０ａはどちらも凹面及び／又は湾曲形状を有してよく、そのため、所与のＬＥＤによって放射され、反射体２２２によって反射された光は、大部分、そのＬＥＤに関連付けられる蛍光体層の局部的部分の上に向けられる。場合によっては、これらの要素は正確に又は実質的に半球形であってよい。場合によっては、それらは、半球ではなく、部分的に球形の形状であるか、又はそれに近似してよい。場合によっては、それらは、より小さな別個の平坦又は曲面状の小面の配列で形成されるドーム形構造の場合のように、区分的に凹面状及び／又は区分的に曲面状であってよい。場合によっては、以下において図８、９、及び１０に関して更に説明するように、それらは分割されてよい。反射体２２２の形状は好ましくは、内部表面２２０ｂと合致するか又はそれに近接した基準面２１９内の所与の光源点から発する光が、反射により、同じ基準面内の所与の像点上に（少なくともおおむね）結像されるように調整されている。所与の光源点及び像点は、中心が基準面２１９と光軸２２１との交点と実質的に合致する、すなわち、中心が点２２１ｃと実質的に合致する線分の端点を形成すると見なされてよい。反射体２２２がこのように成形されている場合、レンズ組立体２１２の直下において内部表面２２０ｂ及び基準面２１９に近接して位置する所与のＬＥＤからの光は、二色性反射体によって反射され、所与のＬＥＤに排他的に関連付けられるか又は少なくとも大部分が関連付けられる蛍光体層の特定の部分の上に、ＬＥＤ光強度が高くなった像、スポット、又は同様の局部的エリアを作り出す。
【００３０】
二色性反射体はまた、二色性ミラー又は二色性フィルタと呼ばれることもある。それらは、ある光学波長に対しては、高い反射率と低い透過率を有し、他の光学波長に対しては、低い反射率と高い透過率を有するように設計されている。そのような反射体は通常、反射されないいかなる光も少なくとも可視波長、近赤外波長、近紫外波長にわたって実質的に透過され、逆もまた同様であるように、ほとんど吸収しない。そのような反射体は、二酸化ケイ素及び二酸化チタンの交互層等の大きな屈折率ミスマッチを有する材料の交互配列内に典型的に、大量の光学的に薄いミクロ層を含むが、他の好適な無機材料又は有機材料も使用され得る。このような反射体は、ガラス又は他の好適な基板上に、例えば、レンズ部材２２０の外部表面２２０ａ上に直接、あるいは外部表面２２０ａに後に付けることができる膜又は基板上に、交互層を真空蒸着することによって作製されてよい。代替的に、例えば、米国特許第５，８８２，７７４号（Ｊｏｎｚａ、他）及び同第６，７８３，３４９号（Ｎｅａｖｉｎ、他）に記載のように、交互ポリマー材料の共押出し及び得られた多層ポリマーウェブの引き伸ばしを含んでよい連続プロセスによって、好適な反射フィルムを作製してもよい。二色性反射体で使用される材料及び用いられる製造方法にかかわらず、本明細書の他の箇所で説明するように、反射体は、所望の反射特性を波長の関数としてもたらすように調整された、マイクロ層の積層体の層厚さ分布を与えられる。この点に関して、米国特許第６，９６７，７７８号（Ｗｈｅａｔｌｅｙ、他）を参照する。厚さ分布は、例えば、ロングパスフィルタ又はノッチフィルタとして動作する二色性反射体が得られるように調整されてもよく、それにより、比較的長波長の蛍光は、ある範囲の入射角にわたって実質的に透過され、また比較的短波長のＬＥＤ光は大部分を反射される。二色性反射体は例えば、蛍光に対して、少なくとも５０％、又は少なくとも６０％、又は少なくとも７０％の透過率を有してよい。二色性反射体は、いくつかの例において、可視域の青色光を実質的に反射し、可視域の赤紫色光を実質的に透過させる。場合によっては、二色性反射体は、所定の波長で別に直交偏光状態を反射する、多層ミラーフィルム、反射偏光子、及び／又はミラー等の部分偏光反射体であってもよく、又は含んでもよい。
【００３１】
二色性反射体の反射及び透過特性は通常、反射体に衝突する光の入射角が変化するにつれて変化する。例えば、二色性反射体２２２は、反射体に垂直に入射するＬＥＤ光線と比較して、反射体に斜めに入射するＬＥＤ光線に対しては、より高い透過性を有し得る。この特性は、本発明の譲受人に譲渡された係属中の国際出願ＰＣＴ／ＵＳ２０１１／０６５７８０号で更に完全に説明されているように、レンズ組立体の下方に配列された複数のＬＥＤの相対駆動強度を制御することによって出力色を調節することができる遠隔蛍光式固体光源の製作に利用されてよい。
【００３２】
蛍光体層２２４は、吸収したＬＥＤ光に対してストークスシフトした光を蛍光発光するか、あるいは別様に放射する１種類以上の好適な蛍光体材料を含有している。蛍光体材料は好ましくは、ＬＥＤの発光スペクトルと波長が重なり合う範囲の光を吸収し、そのため、ＬＥＤは蛍光体を励起し、蛍光発光させるかあるいは別様に蛍光を放射させることができる。多くの場合、所定の蛍光体材料は、電磁スペクトルの紫外線、青色、及び／又は青緑色部分内の光を吸収することができ、可視領域又は近可視領域内の光を放射することができる。放射された蛍光は通常、広帯域であり、例えば、それは少なくとも１００ナノメートルのスペクトル幅を有し得る。この広帯域の蛍光は、連続的な広帯域にて分布されてもよく、あるいは、離間した狭い輝線の一群の場合にはスパイク状の分布を有してもよく、あるいは、狭い輝線と連続的な広帯域との組み合わせであってもよい。例示的な蛍光体材料としては、既知の蛍光染料及び蛍光体が挙げられる。セリウムをドープしたイットリウムアルミニウムガーネット（Ｃｅ：ＹＡＧ）は、使用され得る蛍光体の一例である。他の希土類をドープしたガーネット又は他の希土類をドープした材料も、光源の設計詳細及び制約に応じて、例えば、ユーロピウム及び／又はストロンチウムをドープしたケイ酸塩、窒化物、及びアルミン酸塩など、好適であり得る。好適な蛍光体材料には、ドープされた無機酸化物又は窒化物、量子ドット、並びにＩＩ〜ＶＩ族及びＩＩＩ〜Ｖ族材料を含む半導体など、有機及び無機の蛍光又はリン光材料が挙げられる。
【００３３】
典型的な蛍光の発光スペクトルが、図３に曲線３１２として示されている。また、曲線３１０と標識された典型的なＬＥＤ発光スペクトルが示されている。これらの曲線は、典型的な構成要素の典型であることを意図し、必ずしも限定的であることを意図しない。図に示すように、所与のＬＥＤ／蛍光の対に対し、蛍光は一般に、ＬＥＤ光よりも長い波長で分布する。ＬＥＤ  ２１４が青色光を放射し、二色性反射体２２２がこの光の一部を透過させる場合、蛍光体層２２４は黄色の蛍光を放射するように調整されることができ、それにより、青色のＬＥＤ光と黄色の蛍光との組み合わせが名目上は白色の光を与える。
【００３４】
レンズ組立体２１２の下に配設された構成要素に注目すると、ＬＥＤ  ２１４は、出力光が蛍光体層２２４を励起することができる、現在知られている、又はいずれ開発される任意の好適なＬＥＤであることができる。上述したように、ＬＥＤは、比較的短波長の光、例えば主として青色光及び／又は紫外光を放射してよいが、場合によっては、青緑色又は緑色光も用いられてよい。ＬＥＤをレンズ部材２２０（及び内部表面２２０ｂ）に近接して実装するために、薄型パッケージ、例えば、ＬＥＤの底部又は実装面上に両電気接点が設けられたフリップチップＬＥＤパッケージ、を有するＬＥＤを用いることが時には望ましい。
【００３５】
ＬＥＤ  ２１４及びその他の構成要素を保持する基板２１６は、任意の好適な設計のものであることができる。基板は、必要に応じて可撓性又は剛性であってよい。基板は、１つ以上の導電トレース、及び／又は穴若しくは「ビア」を含んでもよく、それによって、光源のＬＥＤ又は他の電子構成要素への電気的接続がなされ得る。電気的接続は、ワイヤボンド又は図面に示されていない他の好適な手段によってもなされ得る。基板は、ＬＥＤ  ２１４及び蛍光体２２４を適度な動作温度に維持することができるように、ヒートシンクとしても機能してよく、又は独立したヒートシンクと結合してもよい。
【００３６】
次に図４を参照すると、レンズ組立体４１２の概略側面又は断面図が見られる。組立体４１２は図１及び２のレンズ組立体と同じであるか又は類似していてよく、対応する部分は、対応する特徴及び属性を有してよい。ただし、凹面状二色性反射体の特性をより容易に説明し、理解することができるように、蛍光体層、ＬＥＤ、及び基板は図から省かれている。
【００３７】
そのため、図４では、レンズ組立体４１２は、外部表面４２０ａ及び内部表面４２０ｂを有するレンズ部材４２０と、外部表面４２０ａに取り付けられた二色性反射体４２２と、を含む。内部表面４２０ｂの一部には、蛍光体層（図２の層２２４等）が通常取り付けられるであろう。外部表面４２０ａは、点４２１ａにおいて外部表面４２０ａと交差し、点４２１ｂにおいて内部表面４２０ｂと交差し、点４２１ｃにおいて、内部表面に隣接した基準面４１９と交差する光軸４２１又は対称軸を規定するように湾曲するか又は別様に成形されている。レンズ部材４２０は、図２のスペーサ構造と同じであるか又は類似していてよい、スペーサ構造４２３ａ、４２３ｂも含む。
【００３８】
内部表面に取り付けられていてよいあらゆる蛍光体層の効果を無視すると、基準面４１９は、二色性反射体によってそれ自身の上に少なくともおおよそ結像される平面と特徴付けられてよい。この平面の位置は、少なくとも二色性反射体の形状及びレンズ部材の形状によって決まる。例示的な実施形態では、基準面４１９はレンズ部材の内部表面４２０ｂに比較的近接している。基準面と内部表面との間の最小離隔距離（例えば点４２１ｂ及び４２１ｃの間の距離）は、レンズ部材の最大横断又は横寸法Ｄ（例えば、直径）を用いて表されてよい。例えば、離隔距離はＤ／２未満、又はＤ／５未満、又はＤ／１０未満であってよい。場合によっては、離隔距離はゼロであってよい。基準面は内部表面４２０ｂのどちらかの側に配されてもよく、又はこのような表面と合致してもよいことに留意されたい。内部表面は、実施形態によっては、平面状であり得るが、他の実施形態では、非平面状であり得ることにも留意されたい。
【００３９】
この基準面内の点を、ＬＥＤ光が放射され得る仮想光源点として選択してよい。図には、あり得るものの無限の集合のうち、２つのこうしたあり得る光源点、すなわち点４１９ａ及び点４１９ｃを示している。これらの点のそれぞれから発出する光線が示されており、このような光線は内部表面４２０ｂにおいてレンズ部材４２０に侵入し、レンズ部材を横断し、外部表面４２０ａにおいて二色性反射体４２２から反射する。反射体４２２（及び表面４２０ａ）の幾何形状の故に、点４１９ａから発出した光線は、像点４１９ｂにおいて集束、集中、又は結像され、点４１９ｃから発出した光線は、像点４１９ｄにおいて集束、集中、又は結像される。集束、集中、又は結像は厳密である必要はなく、「像点」は、正確な回折限界点ではなく、（基準面に平行な）横寸法が内部表面４２０ｂの寸法に対して小さい、光の集中度が高くなった領域であってよいことに留意されたい。更に、軸外収差及び歪みの効果のために、一般的に、像点から光軸４２１までの（及び点４２１ｃからの）距離が増加するにつれて、ぼやけが増すか又はスポットサイズが大きくなる。
【００４０】
対４１９ａ、４１９ｂ、又は対４１９ｃ、４１９ｄ等の、対応する光源／像点のそれぞれの対は、基準面４１９内に存在するだけでなく、中心が点４２１ｃと実質的に合致する線分の端点も規定する。換言すると、所与の光源点及びその関連像点は、光軸４２１に関して、及び点４２１ｃに関して実質的に対称に配される。このような仕組みは、外部表面４２０ａ（及び二色性反射体４２２）が、曲率半径が点４２１ａ及び４２１ｂの間の物理的距離とちょうど又はほぼ等しい半球、又は球の他の部分として成形されている場合に、達成することができる。ただし、同様の結果をもたらすために、非球面形状、回折面などを含む、他の表面形状が代替的に用いられてもよい。この構成により、レンズ組立体４１２の下において内部表面４２０ｂに近接し、基準面４１９に近接して位置付けられているが、光軸４２１及び点４２１ｃから横方向に変位したＬＥＤは、二色性反射体４２２によって、ＬＥＤの放射面と同様のサイズ及び形状を有する結像エリア又はゾーン内へと反射されるＬＥＤ光を生成することになる。結像ゾーンは、内部表面４２０ｂ又は基準面４１９又はその近傍に位置し、結像ゾーン及びＬＥＤの放射面は、光軸４２１及び点４２１ｃに関して実質的に対称に配される。所望の場合には、レンズ組立体の下に複数のＬＥＤをこのように位置付けることができ、内部表面４２０ｂの、ＬＥＤに関連付けられる結像ゾーン又は点に対応する部分を被覆するように蛍光体材料が設けられている限り、結像ＬＥＤ光は蛍光体材料によって吸収され、蛍光として再放射されることになる。
【００４１】
図５に、レンズ組立体５１２の一部が概略的に示されている。このレンズ組立体は、図１、２、又は４に示されるもののいずれと同じであってもよいか又は類似していてもよい。同図は、蛍光体層、並びに蛍光体層に関連付けられる他の層及び構成要素のために企図されている様々な構成のうちのいくつかの特定の構成を説明するために提供されている。図５では、レンズ組立体５１２のレンズ部材５２０は、外部表面（不図示）及び内部表面５２０ｂを有する。内部表面に取り付けられているのは、パターン化された蛍光体層５２４である。図示のように、蛍光体層５２４は内部表面５２０ｂの一部を被覆し内部表面５２０ｂの別の部分は被覆しない（したがって、露出させる）。
【００４２】
好ましくは、蛍光体層５２４は、レンズ組立体を照射するべく配置されてよいＬＥＤ（単数又は複数）に対応する結像ゾーン（単数又は複数）の近傍に位置する内部表面のあらゆる部分（単数又は複数）を被覆する。蛍光体層は、内部に１種類以上の蛍光体を分散させた光安定性及び熱安定性の結合剤から作られてよい。結合剤は、例えばシリコーン及び／又はフルオロポリマーを含めたポリマーであってよく、また、シリコーン接着剤又はシリコーンゲルなどの接着剤又はゲルであってもよい。蛍光体材料（蛍光体）は、混合されても、積層されても、パターン化されてもよく、あるいはこれらの構成の２つ以上の組み合わせをなしてもよい。コーティングの好適な手段には、ナイフコーティング、押出しコーティング、及びバーコーティングが挙げられる。パターンコーティングを施すための好適な手段には、グラビア、凹版、シルクスクリーン、及びインクジェットを含めて、印刷に利用されるものが挙げられる。１枚以上の蛍光体層が、蛍光体の非パターン層上にパターン化されてもよく、あるいは種々の領域が主に１種類の蛍光体を有してもよい。例えば、赤色放射蛍光体と緑色放射蛍光体のピクセルパターンが使用されてもよく、ここで各ピクセルは、少なくとも１つの方向において、関連するＬＥＤ（その蛍光体を作用させるかあるいは励起する）の寸法ほどの大きさである。ピクセルパターンは、１次元の列又は２次元の格子の形態をなしてよい。再吸収の損失は、種々の蛍光体を空間的に分離することによって低減され得る。種々の蛍光体は、場合によっては、その横又は横断寸法が蛍光体含有層の厚さの約２倍〜２０倍の範囲にある領域へと分離されてよい。
【００４３】
図５のレンズ組立体５１２では、蛍光体層５２４とレンズ部材５２０との間に接着剤層５２５が設けられている。接着剤層は好ましくは、ＬＥＤ光と蛍光の双方に対して、高い透過率と低い吸収率を有する。好適な接着剤層には、アクリレート及びシリコーンが挙げられる。接着剤は、熱又は放射線によって硬化され得る他の添加剤を含有してもよい。例えば、硬化されて永久的な付着を形成し得る感圧性接着剤を形成するために、熱硬化したエポキシが、Ｂ段階の硬化したアクリレートと混合されてもよい。接着剤はまた、熱で若しくは光分解で活性化された触媒を有するシリコーン樹脂のモノマーなどの硬化性の液体として塗布されてもよい。場合によっては、接着剤は、蛍光体層とレンズ部材との間に、実質的に永久的な付着をもたらしてもよい。以下において図１１及び１２に関して更に説明される別の例では、接着剤は、取外し可能な付着をもたらしてもよい。この点で、接着剤は、最終用途における良好な耐久性をもたらすように十分に高く、かつ蛍光体層の１つ以上の部分を例えば打抜き及び剥離によって取外すことができるように十分に低い付着強度を有し得る。
【００４４】
接着剤層５２５は、内部表面５２０ｂの、蛍光体層５２４によって被覆された部分、及び内部表面５２０ｂの、蛍光体層５２４によって露出させた部分の双方を被覆するように示されている。代替実施形態では、接着剤層は、内部表面の、蛍光体層によっても被覆されたそれらの部分のみを被覆するように範囲が限られてもよい。
【００４５】
図５のレンズ組立体５１２では、蛍光体層５２４の反対側に反射層５２６が設けられ、それにより、蛍光体層は反射層５２６とレンズ部材５２０との間に存在する。反射層は、比較的短波長のＬＥＤ光とそれよりも長波長の蛍光の両方に対して高い反射率を有する広帯域反射体であってよい。その場合には、蛍光体層を完全に貫いて伝播するＬＥＤ光は全て再び蛍光体層へと反射されてよく、厚さを減じた蛍光体層内へのＬＥＤ光の吸収を高める。更に、レンズ部材から遠ざかる方向に伝播するいかなる蛍光も、反射層によって遮り、蛍光体層を通ってレンズ部材に向かって戻るように進路変更することができ、それにより、光源の全出力の蛍光成分を増大させる。反射層は、鏡面反射体、拡散反射体、又は半鏡面反射体（鏡面反射体と拡散反射体との組み合わせ）であってよい。反射層は結合剤と顔料とを含んでもよく、また他の添加剤を含有してもよい。好適な結合剤には、蛍光体層に関連して述べたものと同じ結合剤が挙げられる。反射層に使用される結合剤は、蛍光体層に使用される結合剤と同じであっても異なってもよい。例示的な顔料には、アナターゼ又はルチルＴｉＯ２が挙げられる。好ましくは、ＴｉＯ２は、シリカなどのコーティングで不動態化される。他の添加剤には、熱伝導性を改善するための無機充填剤を挙げることができる。好適な充填剤には、アルミナ、窒化アルミニウム、窒化ボロン、及び／又はダイヤモンドが挙げられる。反射層中のそのような充填剤は、望ましくは、ＬＥＤ光及び蛍光の低い吸収度を有する。鏡面の特性を優勢に有する好適な広帯域反射体には、可視領域の全体にわたって９８％超の反射率を有する、３Ｍ  Ｃｏｍｐａｎｙによって市販されているＶｉｋｕｉｔｉ（商標）Ｅｎｈａｎｃｅｄ  Ｓｐｅｃｕｌａｒ  Ｒｅｆｌｅｃｔｉｏｎ  Ｆｉｌｍ（ＥＳＲ）など、可視スペクトル全体にわたって高度な反射率が得られるように構成された多層光学フィルムが挙げられる。また、ナノ空洞ポリマー又は他のポリマー、ＭｇＦ２、ＴｉＯ２、ＳｉＯ２、Ａｌ２Ｏ３、及び／又はＺｒＯ２など、高屈折率及び低屈折率材料の光学的に薄い層から作られた他の誘電体コーティング反射体が使用されてもよい。アルミニウム被覆ポリマーフィルム又は銀被覆ポリマーフィルムなど、より単純な金属被覆フィルムが使用されてもよい。金属被覆の反射率は、例えば、ナノ空洞ポリマー又は他のポリマー、無機ナノ粒子充填ポリマー、ＭｇＦ２、ＴｉＯ２、ＳｉＯ２、Ａｌ２Ｏ３、及び／又はＺｒＯ２など、１種類以上の既知の誘電体被覆を加えることによって向上され得る。
【００４６】
図５に示されているものに対する多種多様の代替的な構造体が企図されている。例えば、接着剤層５２５及び／又は反射層５２６が省かれてもよい。更に、追加の層を構造体に追加することができる。こうした追加の層は、１層以上の透明なスペーサ層、構造層、熱伝導層、及び付着層を含んでよい。
【００４７】
したがって、透明スペーサ層が構造体内に含まれてもよい。このような層は好ましくはレンズ部材と蛍光体層との間に配設される。スペーサ層は、以下の機能のうちの１つ以上を果たすように調整されてよい：スペーサ層は、蛍光体層からレンズを通して放射された光の光学的出力特性を変化させることができる；スペーサ層は、蛍光体層を、レンズ部材から遠ざけ、熱伝導性基板（例えば、図１の基板１１６及び図２の基板２１６）により近接するように、変位させる又は位置付けることができる；並びに／あるいはスペーサ層は、装置の輝度を高めるために、レンズ部材と蛍光体層との間に低屈折率層を提供することができる。好適な低屈折率コーティングには、溶剤との組み合わせで硬化され、次いで乾燥されて低屈折率層を生成するフルオロポリマー、シリコーン、及び放射線硬化性材料が挙げられる。
【００４８】
構造層が構造体内に含まれてもよい。この件に関する構造層とは、例えば、以下において図１１及び１２に関して説明されるように、それが接着された蛍光体層の部分（単数又は複数）と共に（例えば剥離によって）機械的に取外すことができるように、自己支持型で十分に厚く強い層に言及する。取外しの前に、構造層は、取外すべき部分（単数又は複数）から維持すべき部分（単数又は複数）を分離するために、刻み目を付けられるか又は切断されてもよく、その後、レンズ部材の内部表面の諸部分を選択的に露出させるために、取外すべき部分（単数又は複数）は、レンズ部材から、蛍光体層の対応する部分（単数又は複数）と共に機械的に取外すことができる。好適な構造層は、ポリエチレンテレフタレート又はポリエチレンナフタレート、フルオロポリマー、ポリエチレン、ポリプロピレン、及びシリコーンを含むポリエステルを含有する。構造層はまた、セルロース、合成繊維、及びセラミック若しくはガラス繊維などの材料を含有する、織物又はランダム繊維マット製であってもよい。
【００４９】
熱伝導層が構造体内に含まれてもよい。熱伝導層は好ましくは蛍光体層の後方に配設され、それにより、蛍光体層は熱伝導層とレンズ部材との間に存在する。熱伝導層は、熱伝導性基板（例えば、図１の基板１１６及び図２の基板２１６）と接触するか又は別様に結合してよく、それにより、蛍光体層をより低い動作温度に維持する。熱伝導層は、ポリマー層、特に、アルミナ、シリカ、窒化ホウ素、及び／又は窒化アルミニウムなど、適度な量の熱伝導性の粉末又は材料を充填されたものから作製され得る。ポリマー層は、シリコーン又はアクリレートなどのホモポリマーであっても、各ポリマーの混合物であっても、熱硬化したエポキシに放射線硬化したアクリレートを混合したものなど、Ｂ段階の硬化性材料であってもよい。
【００５０】
（上述の接着剤層５２５以外の）付着層が構造体内に含まれてもよい。例えば、そのような層同士の付着を向上させるために、下塗り層が、隣接する機能層の間に含められてもよい。
【００５１】
蛍光体層が一部をなすサンドイッチ構造体内の２層以上の層の機能が、単一の層に組み合わせられてもよい。例えば、接着剤層が、透明なスペーサ層として働いてもよい。代替的に又はそれに加えて、単一層として説明又は図示した層はいずれも、サンドイッチ構造内にこうした別個の層を２層以上設けるために、分離又は複製することができる。
【００５２】
開示されている実施形態のいずれにおいても、蛍光体層は、少なくとも、反射層５２６等の広帯域反射体も含む蛍光体組立体の一部であってよい。広帯域反射体は、ＬＥＤ光及び蛍光に対して少なくとも９０、９４、又は９８％の反射率を有してよい。更に、ＬＥＤ光に対する蛍光体層の透明度又は透過度は、照明システムの広帯域光出力を増加させるように調整することができる。このような増加は、蛍光体層に使用される蛍光体の量を減少させることによって達成することができる。ＬＥＤ光に対する蛍光体層の単光路透過率Ｔは３０％〜６５％、又は３５〜６０％、又は４０〜５０％であってよい。本願と同一譲受人に譲渡された国際出願ＰＣＴ／ＵＳ２０１１／０６５７８４号に、例示的な蛍光体組立体に関する更なる詳細がより完全に説明されている。
【００５３】
図６は、蛍光体層が、レンズ部材の内部表面の選択部分を被覆するためにどのようにパターン化されてよいのか、及び二色性反射体によって反射されたＬＥＤ光が蛍光体層を照射することができるように、ＬＥＤ群を内部表面の露出部分に隣接してどのように位置付けることができるのかについての１つの具体例を示す。図は、レンズ組立体の少し下の観察面から見て、レンズ組立体の方を見上げた通りの広帯域光源６１０の平面図と考えられてよい。光源６１０は、レンズ組立体６１２、及び基板（不図示）上においてレンズ組立体に隣接して配設された隣接ＬＥＤの群６３０ａ、６３０ｂ、６３０ｃを含む。レンズ組立体６１２は、外部表面（不図示）及び内部表面６２０ｂを有するレンズ部材６２０と、レンズ部材の外部表面上に配設された二色性反射体（不図示）と、くさび形のセクタ内に配列された３つの別個の部分６４０、６４２、６４４を有する蛍光体層と、を含み、蛍光体層は、くさび形部分内の内部表面６２０ｂを被覆し、ＬＥＤ群によって占有される残りの（相補的な）くさび形領域内の内部表面を露出させるようにパターン化される。光源６１０及びそのそれぞれの構成要素の特性は、本明細書の別の箇所で説明されている対応する構成要素の特性と同じであるか又は類似していてよい。例えば、レンズ部材６２０の外部表面は、図の平面と垂直であり、図の中心における点（標識せず）を通過する光軸を規定するように成形されてよい。
【００５４】
図６には、合計１８個のＬＥＤが示されている。ＬＥＤは６つの隣接ＬＥＤの３つのくさび形の群６３０ａ、６３０ｂ、６３０ｃ内に配列されており、隣接ＬＥＤのそれぞれの群は内部表面６２０ｂのくさび形領域の近傍に配設されている。ＬＥＤの３つのくさび形の群のレイアウト、並びに図示されている、それぞれの群内のＬＥＤの数及び配向は、多くの可能な構成のうちの１つであり、限定的に解釈されるべきではない。例えば、くさびのような形状以外の形状もまた意図される。
【００５５】
この平面図では、隣接ＬＥＤの群は、蛍光体層のくさび形部分６４０、６４２、６４４によって互いに分離される。更に、隣接ＬＥＤのそれぞれの群は、図の中心における点に対して、蛍光体層のくさび形部分のうちの１つのおおむね反対側となるくさび形領域内に存在する。ＬＥＤのくさび形領域、及び蛍光体層のその対応するくさび形部分のそれぞれの対は、図中の中心点に関しておおむね対称であってもよい。光軸が中心点を通過するように二色性反射体を構成することによって、かつ二色性反射体の好適な曲率半径を選択することによって、隣接ＬＥＤのそれぞれのくさび形群からのＬＥＤ光の、二色性反射体によって反射される部分は、蛍光体層の対応するくさび形部分上に（少なくともおおむね）結像させることができる。３つのＬＥＤ群のそれぞれの内部の隣接ＬＥＤは、中心点から（ｘ−ｙ平面に平行に測定して）異なる半径方向距離に配列されるようにも示されている。図示の配列では、例えば、それぞれの群内の１つのＬＥＤ（ＬＥＤ  ６１４ａ、６１４ｂ、６１４ｃ参照）は中心点に最も近接して配設され、それぞれの群内の３つのＬＥＤ（ＬＥＤ  ６１６ａ、６１６ｂ、６１６ｃ参照）は中心点から最も遠くに配設され、それぞれの群内の２つのＬＥＤ（ＬＥＤ  ６１５ａ、６１５ｂ、６１５ｃ参照）は中心点から中間の距離に配設されている。二色性反射体は、それぞれのＬＥＤが蛍光体層の異なる小部分を第一に励起するように、各ＬＥＤからの少なくとも一部の光を蛍光体層の選択部分へと反射する。蛍光体部分６４０、６４２、６４４を、中心点から異なる半径方向距離にある小部分を含むものと見なせば、すなわち、部分６４０は小部分６４０−１、６４０−２、６４０−３、６４０−４を含み、部分６４２は小部分６４２−１、６４２−２、６４２−３、６４２−４を含み、部分６４４は小部分６４４−１、６４４−２、６４４−３、６４４−４を含むと見なせば、二色性反射体は、個々のＬＥＤからのＬＥＤ光を以下のように個々の蛍光体層の小部分上に優先的に反射してよい：
ＬＥＤ  ６１４ａからの光は蛍光体小部分６４０−２上に、
ＬＥＤ  ６１５ａからの光は蛍光体小部分６４０−３上に、
ＬＥＤ  ６１６ａからの光は蛍光体小部分６４０−４上に、
ＬＥＤ  ６１４ｂからの光は蛍光体小部分６４２−２上に、
ＬＥＤ  ６１５ｂからの光は蛍光体小部分６４２−３上に、
ＬＥＤ  ６１６ｂからの光は蛍光体小部分６４２−４上に、
ＬＥＤ  ６１４ｃからの光は蛍光体小部分６４４−２上に、
ＬＥＤ  ６１５ｃからの光は蛍光体小部分６４４−３上に、及び
ＬＥＤ  ６１６ｃからの光は蛍光体小部分６４４−４上に。
【００５６】
読者に留意されたいこととして、ＬＥＤ光の優先的反射は、所与のＬＥＤからの反射ＬＥＤ光の全てが指定の蛍光小部分に衝突することが要求されるほど狭く解釈されるべきではなく、このようなＬＥＤからの一部の反射ＬＥＤ光は、他の蛍光小部分に、及び／又は他のＬＥＤ若しくは光源の他の要素に衝突する場合がある。
【００５７】
光源６１０の一実施形態では、１８個全てのＬＥＤが、同じＬＥＤ発光スペクトルに従うＬＥＤ光を放射してもよく、蛍光体層は、蛍光体層の組成及び構造が、くさび形部分６４０、６４２、６４４の全体にわたって、またそれらの間で同じとなるような、一様な組成及び構造をなしてよい。別の実施形態では、蛍光体層の、異なるＬＥＤと関連付けられる部分に対して、異なる組成及び／又は構造を使用することによって、広帯域光の部分によって異なる色を達成することができる。加えて又は別の方法では、くさび形部分６４０、６４２、６４４のうちの１つ、いくつか、又は全ては、二色性反射体の光軸又は中心点（標識せず）からの半径方向距離によって異なる組成及び／又は構造を有し得る。別の実施形態では、異なる発光スペクトルを有する個々のＬＥＤを選択し、次いで、異なる発光特性のＬＥＤが励起される相対的な程度を制御又は調整することによって、広帯域光の部分によって異なる色を達成することができる。この点に関する更なる詳細が、本明細書の別の箇所において参照されている、本願と同一譲受人に譲渡された国際出願ＰＣＴ／ＵＳ２０１１／０６５７８０号に見出すことができる。
【００５８】
図７は、レンズ組立体を１つ以上のＬＥＤ装置と連結させることによって広帯域固体光源７１０をどのようにして作製することができるのかを分解図で示す。光源７１０の特性及びそのそれぞれの構成要素は、本明細書の別の箇所で説明されている対応する構成要素の特性と同じであるか又は類似していてよい。
【００５９】
光源７１０では、レンズ組立体７１２がＬＥＤ組立体と連結される。レンズ組立体は、外部表面７２０ａ及び内部表面７２０ｂを有するレンズ部材７２０であって、外部表面は、点７２１ａにおいて外部表面と交差し、点７２１ｂにおいて内部表面と交差する対称軸又は光軸７２１を規定する、レンズ部材７２０と、外部表面７２０ａ上に配設された二色性反射体と、くさび形のセクタ状に構成された３つの別個の部分７４０、７４２、７４４を有する、蛍光体層と、を含み、蛍光体層は、くさび形部分内の内部表面７２０ｂを被覆し、残りの（相補的な）くさび形領域内の内部表面を露出させるようにパターン化されている。
【００６０】
レンズ組立体が連結されるＬＥＤ組立体は、基板７１６上に配設された隣接ＬＥＤの群７３０ａ、７３０ｂ、７３０ｃを含む。この場合も先と同様に、ＬＥＤの３つのくさび形の群のレイアウト、並びに図示されている、それぞれの群内のＬＥＤの数及び配向は、多くの可能な構成のうちの１つであり、限定的に解釈されるべきではない。隣接ＬＥＤの群は基板７１６のくさび形領域７４０ａ、７４２ａ、７４４ａによって互いに分離され、レンズ組立体７１２をＬＥＤ組立体と結合させると（例えば、それと接触させる、又は別様に近接近させると）、それらの領域はそれぞれ蛍光体層部分７４０、７４２、７４４とそろう。このような結合が果たされると、ＬＥＤ及び蛍光体層部分の配置は実質的に、図６に関して示され、説明されている通りになってよい。レンズ組立体７１２の光軸７２１は、ＬＥＤ群７３０ａ、７３０ｂ、７３０ｃ及び領域７４０ａ、７４２ａ、７４４ａの真ん中の中心点に対応する、基板上の点７２１ｃを通過することに留意されたい。
【００６１】
本発明者らは、レンズ部材の外部表面のための様々な異なる構成方式を企図している。場合によっては、外部表面は、一部の用途において有利であってよい特定の設計特徴を提供するべく、分割されてよい。図８、９、及び１０に、分割された外部表面を有するレンズ組立体が概略的に示されている。これらの実施形態の特徴は、本明細書において説明されている他の実施形態において利用されてよく、その逆も同様である。
【００６２】
図８では、レンズ組立体８１２が、外部表面８２０ａ及び内部表面８２０ｂを有するレンズ部材８２０を含む。外部表面は、円形境界構造８２５によって分割され、これらの境界構造８２５は、１本以上の溝若しくは切り込み及び／又は１本以上の隆起部若しくは突起部であるか又はそれらを含んでよい。外部表面８２０ａの一部又は全てに二色性反射体が堆積されるか又は別様に取り付けられるが、境界構造８２５においては存在しなくてもよい。外部表面８２０ａの分割はいくつかの目的を果たすことができ、すなわち、単一の途切れのない表面エリアの二色性コーティングを、連続した一連のより小さな途切れのないエリアに分けることによって、レンズ部材８２０と二色性コーティングとの間の熱膨張不一致の機械的衝撃を低減することができ、更に、境界構造は、被覆されていない面からの光散乱量を制御することができる。境界構造８２５の存在にもかかわらず、外部表面８２０ａはなお、好ましくは、頂点８２１ａにおいて外部表面８２０ａと交差し、本明細書の別の箇所で説明されている集束又は結像特性を提供する対称軸又は光軸８２１を規定するように成形されている。
【００６３】
図９では、レンズ組立体９１２が、外部表面９２０ａ及び内部表面９２０ｂを有するレンズ部材９２０を含む。外部表面は、弓状境界構造９２５ａ、９２５ｂによって分割される。これらの境界構造は、１本以上の溝若しくは切り込み及び／又は１本以上の隆起部若しくは突起部であるか又はそれらを含んでよい。境界構造９２５ａはおおむね、ｘ−ｚ平面に平行な平面内に存在し、境界構造９２５ｂはおおむね、ｙ−ｚ平面に平行な平面内に存在し、それゆえ、境界構造９２５ａと交差する。外部表面９２０ａの一部又は全てに二色性反射体が堆積されるか又は別様に取り付けられるが、境界構造９２５ａ、９２５ｂにおいては存在しなくてもよい。外部表面９２０ａの分割は、図８に関して説明されたものを含む、いくつかの目的を果たすことができる。境界構造９２５ａ、９２５ｂの存在にもかかわらず、外部表面９２０ａはなお、好ましくは、頂点９２１ａにおいて外部表面９２０ａと交差し、本明細書の別の箇所で説明されている集束又は結像特性を提供する対称軸又は光軸９２１を規定するように成形されている。
【００６４】
図１０では、レンズ組立体１０１２が、外部表面１０２０ａ及び内部表面１０２０ｂを有するレンズ部材１０２０を含む。外部表面は、図８のものといくつかの点で同様の円形境界構造によって分割される。しかし、図１０では、境界構造は、外部表面の隣接部分間の急峻な接続壁部をそれぞれ含み、かくしてフレネルレンズ構造を作り出している。二色性反射体が外部表面１０２０ａの一部又は全てに堆積されるか又は別様に取り付けられるが、境界構造においては存在しなくてもよい。急峻な壁部は外部表面の各部分をｚ軸に沿って平行移動させることを可能にし、それにより、レンズ部材１０２０の全体の高さ又は厚さは、図８及び９のレンズ部材のものよりも大幅に小さくなっていることに留意されたい。したがって、外部表面１０２０ａの分割は、図８及び９に関して説明された目的を果たすだけでなく、レンズ部材及びレンズ組立体の全体高さを低減する役目を果たすこともできる。境界構造の存在にもかかわらず、外部表面１０２０ａはなお、好ましくは、頂点１０２１ａにおいて外部表面１０２０ａと交差し、本明細書の別の箇所で説明されている集束又は結像特性を提供する対称軸又は光軸１０２１を規定するように成形されている。
【００６５】
本明細書に開示されているレンズ組立体はいずれも、ＬＥＤ組立体にレンズ組立体を結合するのに備えた、蛍光体層、及び所望の場合にはその他の層、の迅速、簡便、かつ精密なパターン化を可能にするように調整することができる。こうした設計アプローチは、単一の種類のレンズ組立体を、複数の異なるＬＥＤ組立体、例えば、異なる数のＬＥＤ、及び／又は基板上のＬＥＤの異なる空間的配置又はレイアウトを有するＬＥＤ組立体、に用いることを可能にする。第１のこうしたＬＥＤ組立体に対応した第１パターンで一方のレンズ組立体の蛍光体層をパターン化し、第２のこうしたＬＥＤ組立体には対応するが、第１のＬＥＤ組立体には対応しない第２パターンでもう一方のレンズ組立体の蛍光体層をパターン化することによって、同一のパターン化前のレンズ組立体をこうしたＬＥＤ組立体のどちらにも用いることができる。これらの能力を備えたレンズ組立体は、在庫の削減、生産柔軟性の向上、及び固体照明メーカのコストの低減を助けることができる。
【００６６】
図１１は、この設計の融通性を織り込んだレンズ組立体１１１２を示す。レンズ組立体１１１２が、外部表面１１２０ａ及び内部表面１１２０ｂを有するレンズ部材１１２０を含む。二色性反射体（独立して標識せず）が外部表面１１２０ａの一部又は全ての上に堆積されるか、又は別様にそれを被覆する。蛍光体層１１２４が、その一部は、例えば剥離によって、内部表面から物理的に分離することができ、一方、蛍光体層の残りの部分は内部表面に取り付けられたまま残るように、内部表面１１２０ｂに取外し可能に付着されるか又は別様に取外し可能に取り付けられている。図１１には示されていないが、図５に関して上述したその他の層のいずれのものも構造体内に同様に含むことができることに留意されたい。例えば、蛍光体層と内部表面との間に、最終用途において良好な耐久性を提供するのに十分高いが、蛍光体層の１つ以上の部分を、例えば打ち抜き及び剥離によって取外すことを可能とするのに十分低くもある付着強度を有する、接着剤層が挟み込まれてよい。蛍光体層の取外し部分は内部表面１１２０ｂの対応部分を露出させ、それにより、１つ以上のＬＥＤがレンズ部材のそれらの露出部分内に光を注入することができる。蛍光体層の残りの部分は内部表面の対応部分を被覆し、それにより、それは、二色性反射体によって反射されたＬＥＤ光を受光することができる。
【００６７】
蛍光体層の選択的取外しは、蛍光体層をパターン化する効果を有し、蛍光体層に所望の形状に刻み目を付けるか又は別様にそれを切断し、その後、刻み目部分を例えば剥離によって分離することによって実行することができる。このような作業が図１１に概略的に示されている。同図では、切断部材１１０２を有する打ち抜きツール１１０１がレンズ組立体１１１２に押し付けられ、それにより、切断部材は、レンズ部材１１２０の内部表面１１２０ｂにおける蛍光体層１１２４及び／又は隣接層（単数又は複数）を貫く。この作業に伴う、対抗し合う力が矢印１１０３として示されている。ツール１１０１上の切断部材１１０２は、内部表面１１２０ｂのための所望の露出エリア形状又は所望の被覆エリア形状を表す特定の形状に構成されている。レンズ組立体１１１２からツール１１０１を引っ込めた後、蛍光体層の一部は例えば剥離によって内部表面１１２０ｂから物理的に分離され、一方、蛍光体層の残りの部分は内部表面に取り付けられたまま残る。蛍光体層の分離部分と蛍光体層の残りの部分との間の境界は、打ち抜きツール１１０２の切断部材１１０２によって作り出される蛍光体層の刻み目部分によって提供される。打ち抜きツール１１０１を、異なる切断部材を有する打ち抜きツールと取り替えることで、照明装置メーカは、同じ初期レンズ組立体１１１２を用いて異なる露出エリア形状を作り出すことができ、それにより、その結果できたレンズ組立体を、異なるＬＥＤ組立体と共に用いることができる。
【００６８】
図１２に、蛍光体層がパターン化されたレンズ組立体１２１２が概略透視図で示されている。このレンズ組立体は、打ち抜き及び剥離後の図１１のものと同じであるか又は類似していてよく、レンズ組立体１２１２の特徴は、本明細書において説明されている実施形態のいずれにおいて利用されてもよく、その逆も同様である。組立体１２１２は、外部表面１２２０ａ及び内部表面１２２０ｂを有するレンズ部材１２２０を含む。組立体は、外部表面１２２０ａの全てまたは一部の上に配設された二色性反射体と、内部表面１２２０ｂの一部を被覆し内部表面１２２０ｂの別の部分１２３０を露出させるようにパターン化された蛍光体層１２２４も含む。部分１２３０の境界の形状は、図１１の打ち抜きツール等の打ち抜きツールの切断部材と同じ形状であってよい。蛍光体層の刻み目部分が剥離されると、露出部分１２３０が生じる。製作されたレンズ組立体１２１２は次に、遠隔蛍光体広帯域固体光源を提供するべく、図７の下部に示されるもの等のＬＥＤ組立体と連結されてよい。
【００６９】
レンズ組立体１２１２はリング状つまみ１２３２も含む。つまみ１２３２は、蛍光体層の打ち抜きエリアの取外しを容易にするために、以下において図１３に関して説明されるように構成されてよい。図１３及び１４は、追加のレンズ組立体を示す。その特徴は、本明細書に説明されている実施形態のいずれに利用されてもよく、その逆も同様である。図１３では、レンズ組立体１３１２が、外部表面１３２０ａ及び内部表面１３２０ｂを有するレンズ部材１３２０を含む。組立体は、外部表面１３２０ａの全て又は一部の上に配設された二色性反射体と、内部表面１３２０ｂの一部に取り付けられた蛍光体層１３２４も含む。蛍光体層１３２４は、図１１及び１２に示されているものと同様の方法で、あるいは任意の他の好適な方法でパターン化されてよい。レンズ部材１３１２はリング状つまみ１３３２を含む。つまみ１３３２は、打ち抜き等のパターン化作業後の蛍光体層の一部のリフトオフを容易にするように構成することができる。このようなリングは例えば、感圧接着剤を有し、レンズ部材１３２０の内部表面に付着されたポリエステル膜から作製されてよく、蛍光体層が、この蛍光体層がポリエステル膜にも取り付けられるようにして、レンズ部材１３２０の内部表面に同様に施されてよい。リングは後の蛍光体層の打ち抜きエリアの取外しを容易にする。
【００７０】
代替的な構造体では、リングは、蛍光体層がレンズ部材１３２０の内部表面に付着された後に、蛍光体層の表面に付着されてよい。リングの構築に適した材料としては、ポリマー膜及び不織布マットが挙げられる。膜又はマットは蛍光体コーティングに直接付着されてもよく、又は接着剤層によって付着されてもよい。
【００７１】
図１４では、レンズ組立体１４１２が、外部表面１４２０ａ及び内部表面１４２０ｂを有するレンズ部材１４２０を含む。組立体１４１２はまた、外部表面１４２０ａの全て又は一部の上に配設された二色性反射体と、内部表面１４２０ｂの一部に取り付けられた蛍光体層と、を含む。組立体１４１２は、蛍光体層及び内部表面１４２０ｂを被覆する構造層１４３４も含む。構造層１４３４は、パターン化後の蛍光体層の一部のリフトオフを容易にするために把持することができる離散的なつまみ１４３６に取り付けられる。例えば、打ち抜きツールによって構造層１４３４、蛍光体層、及び接着剤層（独立して存在する場合）に刻み目を付けてよく、その後、つまみ１４３６を用いて構造層１４３４の一部を持ち上げて取り去ることによって内部表面１４２０ｂから蛍光体層の不要な部分を分離してよい。つまみはポリマー膜又は不織布マットで作製されてよい。膜又はマットは蛍光体コーティングに直接付着されてもよく、又は接着剤層によって付着されてもよい。
【００７２】
上述の教示に対する数多くの変更、又はその適合を行うことができる。例えば、打ち抜きに加えて又はその代わりに、接着剤付着強度をパターン的に変更するために、接着剤層に種々の処理を受けさせることができる。処理は、接着剤の付着強度を高める効果を有してよく、この場合には、それは、最終製品において蛍光体層によって被覆されていることを意図したエリア（単数又は複数）において用いられてよい。付着強度を高める１つの方法は、加熱時を除き、レンズ部材のガラス又はプラスチックに対して低い粘着力を有する接着剤を用いることである。好適な接着剤の一例は、光硬化アクリル接着剤と未硬化の熱硬化性エポキシとの混合物である。次に、ホットスタンプを用いて１つ以上の特定の領域内の付着力を高めることができ、付着強度は、例えば、つまみ（図１３又は１４参照）を使用して膜を持ち上げることによって非加熱エリア内の蛍光体層を取外すのに十分となることができる。
【００７３】
更に、蛍光体層をパターン化する際にレーザアブレ−ションを用いることもできる。好適な構造体は、蛍光体層、金属層、レーザ融除可能層、及び構造層を含んでよい。このような手法は、レーザアブレ−ションを用いてレーザ融除可能層をパターン化することを含んでよく、その後、レーザによって融除されていないエリア（単数又は複数）内において、構造層の非損傷部分（単数又は複数）を除去し、それにより、レンズから蛍光体の対応する非損傷部分（単数又は複数）を除去してよい。
【００７４】
指示がない限り、本明細書及び請求項で使用される形体の大きさ、量、及び物理特性を示す全ての数字は、「約」と言う用語によって修飾されることを理解されたい。したがって、反することが示されない限り、本明細書及び添付特許請求の範囲に記載の数値的パラメータは、本発明の教示を利用して当業者により得ることが求められる所望の性質に応じて変化する近似値である。
【００７５】
本発明の範囲及び趣旨から逸脱することなく本発明の様々な改変及び変形が当業者には明らかであり、本発明が本明細書に記載された例示的な実施形態に限定されるものではないことは理解されるはずである。本明細書において参照された公開及び非公開の特許出願並びに他の特許及び非特許文献は、これらが先行の開示に直接矛盾しない範囲において参照として組み込まれる。
【図１】
0006041885.tif 000002
【図２】
0006041885.tif 000003
【図３】
0006041885.tif 000004
【図４】
0006041885.tif 000005
【図５】
0006041885.tif 000006
【図６】
0006041885.tif 000007
【図７】
0006041885.tif 000008
【図８】
0006041885.tif 000009
【図９】
0006041885.tif 000010
【図１０】
0006041885.tif 000011
【図１１】
0006041885.tif 000012
【図１２】
0006041885.tif 000013
【図１３】
0006041885.tif 000014
【図１４】
0006041885.tif 000015